(57)【要約】      （修正有）【課題】ユーザの操作を簡略化し、無駄な時間を減らすことができ、且つ、秘匿性の高い個人情報や機密情報などを他人に見られることを防止する画像形成装置を提供する。【解決手段】人検出センサ２８によって、周囲に複数の人が検出された場合に、それら複数の人の位置に基づいて、各人が操作者または非操作者のいずれかにみなされ、利用できる機能の設定を自動的に変更したり、或いは、秘匿性の高い個人情報や機密情報などを他人に見られることを防止する。【選択図】図５
2016132174.tif 000002
【特許請求の範囲】
【請求項１】
装置本体から第１距離の地点までの範囲である第１範囲に存在する人を検出可能な人検出手段、および
前記人検出手段によって前記第１範囲に存在する人が検出されたとき、検出された人の数が一人である場合と、複数である場合とで、利用できる機能の設定を変更する機能変更手段を備える、画像形成装置。
【請求項２】
画像を用紙に印刷する印刷手段をさらに備え、
前記機能変更手段は、前記印刷手段によって印刷される印刷部数を、前記人検出手段で検出された人の数に設定する、請求項１記載の画像形成装置。
【請求項３】
前記装置本体に設けられる表示部をさらに備え、
前記人検出手段は、前記装置本体から見て前記第１範囲の外側の範囲である第２範囲に存在する人を検出可能であり、
前記機能変更手段は、前記人検出手段によって前記第１範囲および前記第２範囲の両方で人が検出されたとき、前記表示部の表示面にのぞき見防止処理を行う、請求項１または２記載の画像形成装置。
【請求項４】
前記人検出手段は、前記装置本体から見て前記第１範囲の外側の範囲である第２範囲に存在する人を検出可能であり、
前記機能変更手段は、前記人検出手段によって前記第１範囲および前記第２範囲の両方で人が検出されたとき、前記第１範囲にいる人に注意喚起する、請求項１または２記載の画像形成装置。
【請求項５】
前記画像形成装置を利用しようとする人のユーザ認証処理を行い、予め登録された人についてのみログインを許可する認証処理手段、および、
前記ユーザ認証処理でログインが成功した後に、前記人検出手段によって前記第１範囲に存在する人が検出されなくなった場合にログアウト処理を行うログアウト手段を備える、請求項１ないし４のいずれかに記載の画像形成装置。
【請求項６】
装置本体の周囲の所定範囲に存在する人を検出可能な人検出手段、および
前記人検出手段によって前記所定範囲に存在する人が複数検出されたとき、検出された人の位置に応じて、利用できる機能の設定を変更する機能変更手段を備える、画像形成装置。
【請求項７】
装置本体から第１距離までの範囲である第１範囲に存在する人を検出可能な人検出手段を有する画像形成装置の制御プログラムであって、
前記画像形成装置のコンピュータを、
前記人検出手段によって前記第１範囲に存在する人が検出されたとき、検出された人の数が一人である場合と、複数である場合とで、利用できる機能の設定を変更する機能変更手段として機能させる、画像形成装置の制御プログラム。
【請求項８】
装置本体から第１距離までの範囲である第１範囲に存在する人を検出可能な人検出手段を有する画像形成装置の制御方法であって、
前記画像形成装置のコンピュータは、
前記人検出手段によって前記第１範囲に存在する人が検出されたとき、検出された人の数が一人である場合と、複数である場合とで、利用できる機能の設定を変更する、画像形成装置の制御方法。
【発明の詳細な説明】
【技術分野】
【０００１】
この発明は、画像形成装置、画像形成装置の制御プログラムおよび画像形成装置に関し、特にたとえば、装置本体の周辺に存在する人を検出可能な人検出手段を備える、画像形成装置、画像形成装置の制御プログラムおよび画像形成装置に関する。
【背景技術】
【０００２】
従来の画像形成装置には、使用されていないときには最低限の電力で駆動する省電力モードにしておき、ユーザ（操作者）の操作があったときに画像形成装置を利用可能な通常モードに遷移させる機能が搭載されるものがある。しかしながら、省電力モードから通常モードに遷移するまでに数十秒程度の時間を要するため、ユーザが操作をしてから通常モードに遷移するまでに無駄な時間があるという問題があった。
【０００３】
そこで、装置本体に人感センサを組み込み、当該人感センサによって装置本体の付近に人が存在することを検出したとき、つまり、ユーザが装置本体に近づいたタイミングで省電力モードから通常モードに遷移させる画像形成装置がある。
【０００４】
また、特許文献１には、装置本体と携帯端末との距離が近づいた場合に、省電力モードから通常モードに遷移させる画像形成装置が開示されている。
【先行技術文献】
【特許文献】
【０００５】
【特許文献１】特開２０１２−２１２３３０号公報
【発明の概要】
【発明が解決しようとする課題】
【０００６】
しかしながら、特許文献１に開示されるような従来の画像形成装置では、ユーザが装置本体に近づいたときに、省電力モードから通常モードに遷移させるだけに留まる。このため、より使い勝手の良い画像形成装置の開発が望まれる。
【０００７】
それゆえに、この発明の主たる目的は、新規な、画像形成装置、画像形成装置の制御プログラムおよび画像形成装置を提供することである。
【０００８】
この発明の他の目的は、ユーザの操作を簡略化して、利便性を向上させることができる、画像形成装置、画像形成装置の制御プログラムおよび画像形成装置を提供することである。
【課題を解決するための手段】
【０００９】
第１の発明は、画像形成装置であって、装置本体から第１距離までの範囲である第１範囲に存在する人を検出可能な人検出手段、および人検出手段によって第１範囲に存在する人が検出されたとき、検出された人の数が一人である場合と、複数である場合とで、利用できる機能の設定を変更する機能変更手段を備える。
【００１０】
第１の発明では、人検出手段は、たとえば汎用のレーザレンジファインダであり、装置本体の前面に設けられて、第１範囲に存在する人を検出する。機能変更手段は、たとえば、人検出手段によって第１範囲に存在する人が検出されたとき、検出された人の数が一人である場合には、印刷部数を１に設定し、複数である場合には、印刷部数を２に設定する。
【００１１】
第１の発明によれば、機能変更手段が、第１範囲に存在する人が検出されたとき、検出された人の数が一人である場合と、複数である場合とで、利用できる機能の設定を変更する。つまり、ユーザの操作によらず、状況に合わせて機能を設定することができる。このため、ユーザが機能の設定をする操作を簡略化して、画像形成装置の利便性を向上させることができる。
【００１２】
第２の発明は、第１の発明に従属する画像形成装置であって、画像を用紙に印刷する印刷手段をさらに備え、機能変更手段は、印刷手段によって印刷される印刷部数を、人検出手段で検出された人の数に設定する。
【００１３】
第２の発明では、第１範囲に複数の人がいるとき、これら複数の人を、装置を一緒に利用する仲間とみなして、印刷手段によって印刷される印刷部数を、第１範囲に存在する人の数に設定する。このため、ユーザが印刷部数を設定する操作を省略することができ、ユーザの操作を簡略化して、画像形成装置の利便性を向上させることができる。
【００１４】
第３の発明は、第１または第２の発明に従属する画像形成装置であって、装置本体に設けられる表示部をさらに備え、人検出手段は、第１距離から、装置本体から見て第１範囲の外側の範囲である第２範囲に存在する人を検出可能であり、機能変更手段は、人検出手段によって第１範囲および第２範囲の両方で人が検出されたとき、表示部の表示面にのぞき見防止処理を行う。
【００１５】
第３の発明では、第１範囲にいる人と第２範囲にいる人とは、関係のない他人とみなして、第１範囲および第２範囲の両方で人が検出されたとき、表示部の表示面にのぞき見防止処理を行う。このため、印刷内容などを他人に見られることを防止できる。これは、当該表示面に秘匿性の高い個人情報が表示されるとき、個人情報を他人に見られる可能性があることをユーザが気づいていない場合などに、より便利である。
【００１６】
第４の発明は、第１または第２の発明に従属する画像形成装置であって、人検出手段は、第１距離と、装置本体から見て第１範囲の外側の範囲である第２範囲に存在する人を検出可能であり、機能変更手段は、人検出手段によって第１範囲および第２範囲の両方で人が検出されたとき、第１範囲にいる人に注意喚起する。
【００１７】
第４の発明では、第１範囲にいる人と第２範囲にいる人とは、関係のない他人とみなして、第１範囲および第２範囲の両方に人がいるとき、第１範囲にいる人に注意喚起する。このため、印刷内容などを他人に見られる可能性があることをユーザに知らせることができる。
【００１８】
第５の発明は、第１ないし第４のいずれかの発明に従属する画像形成装置であって、画像形成装置を利用しようとする人のユーザ認証処理を行い、予め登録された人についてのみログインを許可する認証処理手段、およびユーザ認証処理でログインが成功した後に、人検出手段によって第１範囲に存在する人が検出されなくなった場合にログアウト処理を行うログアウト手段を備える。
【００１９】
第５の発明では、ユーザ認証処理でログインが成功した後に、ユーザが装置本体から離れた場合、つまり、第１範囲に存在する人が検出されなくなった場合に画像形成装置の操作を終了したとみなしてログアウトする。このため、ユーザがログアウトを忘れて装置本体から離れた場合でも、ログイン状態で閲覧できる秘匿性の高い個人情報や機密情報などを他人に見られることを防止できる。
【００２０】
第６の発明は、画像形成装置であって、装置本体の周囲の所定範囲に存在する人を検出可能な人検出手段、および人検出手段によって所定範囲に存在する人が複数検出されたとき、検出された人の位置に応じて、利用できる機能の設定を変更する機能変更手段を備える。
【００２１】
第６の発明では、第１範囲に存在する人が複数検出されたとき、検出された人の位置に応じて、利用できる機能の設定を変更する。たとえば、第１範囲にいる複数の人の位置関係に応じて、第１範囲内にいる人が操作者または非操作者のいずれであるかを推定して、利用できる機能の設定を変更する。このため、ユーザが機能の設定をする操作を簡略化して、画像形成装置の利便性を向上させることができる。
【００２２】
第７の発明は、装置本体から第１距離までの範囲である第１範囲に存在する人を検出可能な人検出手段を有する画像形成装置の制御プログラムであって、画像形成装置のコンピュータを、人検出手段によって第１範囲に存在する人が検出されたとき、検出された人の数が一人である場合と、複数である場合とで、利用できる機能の設定を変更する機能変更手段として機能させる。
【００２３】
第８の発明は、装置本体から第１距離までの範囲である第１範囲に存在する人を検出可能な人検出手段を有する画像形成装置の制御方法であって、画像形成装置のコンピュータは、人検出手段によって第１範囲に存在する人が検出されたとき、検出された人の数が一人である場合と、複数である場合とで、利用できる機能の設定を変更する。
【００２４】
第７または第８の各発明においても、第１の発明と同様に、ユーザが機能の設定をする操作を簡略化して、画像形成装置の利便性を向上させることができる。
【発明の効果】
【００２５】
この発明によれば、ユーザが機能の設定をする操作を簡略化して、画像形成装置の利便性を向上させることができる。
【図面の簡単な説明】
【００２６】
【図１】図１はこの発明の一実施例である画像形成装置の外観を示す斜視図である。
【図２】図２は図１に示す画像形成装置の電気的な構成を示すブロック図である。
【図３】図３は人検出センサの水平方向における検出範囲を説明するための図解図である。
【図４】図４は人検出センサによる人の検出方法を説明するための図解図である。
【図５】図５は第１範囲に二人の人が存在する場合を示す図解図である。
【図６】図６は第１範囲に二人の人が存在する場合に表示されるタッチ画面の一例を示す図解図である。
【図７】図７は、第１範囲および第２範囲の両方に人が存在する場合を示す図解図である。
【図８】図８は、第２範囲にのみ人が存在する場合を示す図解図である。
【図９】図９は図２に示すＲＡＭのメモリマップの一例を示す図解図である。
【図１０】図１０は図１に示す画像形成装置１０の人検出処理の一例の一部を示すフロー図である。
【図１１】図１１は図１に示す画像形成装置１０の人検出処理の一例の一部を示すフロー図であって、図１０に後続するフロー図である。
【図１２】図１２は第１範囲に二人の人が存在する場合であって、装置本体の正面中央に人がいる場合を示す図解図である。
【図１３】図１３は第１範囲に二人の人が存在する場合であって、装置本体の正面中央に人がいない場合を示す図解図である。
【図１４】図１４は第２実施例における人検出処理の一例の一部を示すフロー図である。
【図１５】図１５は第１範囲から人がいなくなった場合を示す図解図である。
【図１６】図１６は第３実施例における人検出処理の一例の一部を示すフロー図である。
【発明を実施するための形態】
【００２７】
［第１実施例］
図１はこの発明の一実施例である画像形成装置１０の外部構成を斜め上方から見た斜視図である。
【００２８】
図１を参照して、第１実施例では、画像形成装置１０は、複写機能、プリンタ機能、スキャナ機能およびファクシミリ機能などを有する複合機（ＭＦＰ：Multifunction Peripheral）である。なお、この発明は複合機だけでなく、複写機（コピー機）、印刷装置（プリンタ）およびファクシミリのような他の画像形成装置に適用可能である。
【００２９】
画像形成装置１０は、画像読取部３０、画像形成部３２、手差し給紙部３４および給紙装置３８を含む装置本体３６を備える。
【００３０】
画像読取部３０は、装置本体３６に内蔵され、光源、複数のミラー、結像レンズおよびラインセンサ等を備える。この画像読取部３０は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度や色度が検出され、原稿表面の画像に基づく読取画像データが生成される。ラインセンサとしては、ＣＣＤ（Charge Coupled Device）やＣＩＳ（Contact Image Sensor）等が用いられる。
【００３１】
画像形成部３２は、装置本体３６に内蔵され、画像読取部３０の下方に設けられる。この画像形成部３２は、露光ユニット、現像器、プロセスユニット、中間転写ベルトユニット、転写ローラおよび定着ユニットなどを備える。また、画像形成部３２は、画像形成部３２の下方に設けられた給紙装置３８または画像読取部３０の上方に設けられた手差し給紙部３４などから搬送される記録媒体（用紙）上に画像を形成し、画像形成済みの用紙を排紙トレイ４０に排出する。画像形成に用いる画像データとしては、画像読取部３０によって原稿から読み取った画像データまたは外部から入力される画像データなどが用いられる。
【００３２】
また、画像形成装置１０において扱われる形成画像データは、ブラック（Ｋ）、シアン（Ｃ）、マゼンタ（Ｍ）およびイエロー（Ｙ）の４色のカラー画像に応じたものである。このため、現像器、感光体ドラム、クリーナユニットおよび帯電器のそれぞれは、各色に応じた４種類の潜像を形成するように４個ずつ設けられ、これらによって４つの画像ステーションが構成される。
【００３３】
感光体ドラムは、導電性を有する円筒状の基体の表面に感光層が形成された像担持体であり、帯電器は、この感光体ドラムの表面を所定の電位（たとえば、−６００Ｖ）に帯電させる部材である。また、露光ユニットは、レーザ出射部および反射ミラー等を備えたレーザスキャニングユニット(Laser scanning unit : LSU)として構成され、帯電された感光体ドラムの表面を露光することによって、形成画像データに応じた静電潜像を感光体ドラムの表面に形成する。現像器は、感光体ドラムの表面に形成された静電潜像を４色（ＹＭＣＫ）のトナーによって顕像化するものである。また、クリーナユニットは、現像および画像転写後における感光体ドラムの表面に残留したトナーをクリーニングブレードで除去し、除去したトナーを廃トナーボックス（図示せず）に搬送する。
【００３４】
中間転写ベルトユニットは、中間転写ベルト、駆動ローラ、従動ローラおよび４つの中間転写ローラ等を備え、感光体ドラムの上方に配置される。中間転写ベルトは、各感光体ドラムに接触するように設けられており、中間転写ローラを用いて、各感光体ドラムに形成された各色のトナー像を中間転写ベルトに順次重ねて転写することによって、中間転写ベルト上に多色のトナー像が形成される。また、駆動ローラの近傍には、転写ローラが配置されており、中間転写ベルトと転写ローラとの間のニップ域を用紙が通過することによって、中間転写ベルトに形成されたトナー像が用紙に転写される。
【００３５】
定着ユニットは、ヒートローラおよび加圧ローラを備え、転写ローラの上方に配置される。ヒートローラは、所定の定着温度となるように設定されており、ヒートローラと加圧ローラとの間のニップ域を用紙が通過することによって、用紙に転写されたトナー像が溶融、混合および圧接されて、用紙に対してトナー像が熱定着される。
【００３６】
また、画像読取部３０の前面側には、操作パネル２６が設けられる。操作パネル２６は、タッチパネル２０付きのディスプレイ（表示部）２２および複数の操作ボタン２６ａを含む。ただし、操作ボタン２６ａには、印刷部数の設定やファクスの際に電話番号を入力するための０〜９までの数字を示すボタンや、ジョブを開始させたり停止させたりするためのボタンなどが含まれる。
【００３７】
タッチパネル２０は、汎用のタッチパネルであり、静電容量方式、電磁誘導方式、抵抗膜方式、赤外線方式など、任意の方式のものを用いることができる。この第１実施例では、タッチパネル２０としては、静電容量方式のタッチパネルが用いられ、ディスプレイ２２の表示面上にタッチパネル２０が設けられる。ディスプレイ２２としては、たとえばＬＣＤやＥＬ（Electro-Luminescence）ディスプレイなどを用いることができる。
【００３８】
さらに、操作パネル２６の前面には、装置本体３６の前方に存在する人を検出する人検出センサ（人検出手段）２８が設けられる。この人検出センサ２８は、操作パネル２６の前面における左右両端部のそれぞれに設けられている。ただし、人検出センサ２８の配置位置および個数これに限定されず、適宜変更可能である。
【００３９】
図２は図１に示す画像形成装置１０の電気的な構成を示すブロック図である。
【００４０】
図２を参照して、画像形成装置１０はＣＰＵ１２を含む。ＣＰＵ１２には、バス６０を介してＲＡＭ１４、タッチパネル制御回路１６、表示制御回路１８、操作ボタン検出回路２４および人検出センサ２８が接続される。また、タッチパネル制御回路１６にはタッチパネル２０が接続され、表示制御回路１８にはディスプレイ２２が接続され、操作ボタン検出回路２４には操作ボタン２６ａが接続される。
【００４１】
ＣＰＵ１２は、画像形成装置１０の全体的な制御を司る。ＲＡＭ１４は、ＣＰＵ１２のワーク領域およびバッファ領域として用いられる。
【００４２】
タッチパネル制御回路１６は、タッチパネル２０に必要な電圧などを付与するとともに、タッチパネル２０のタッチ有効範囲内でのタッチ操作（タッチ入力）を検出して、そのタッチ入力の位置を示すタッチ座標データをＣＰＵ１２に出力する。
【００４３】
表示制御回路１８は、ＧＰＵおよびＶＲＡＭなどを含んでおり、ＣＰＵ１２の指示の下、ＧＰＵは、ＲＡＭ１４に記憶された画像生成データを用いてディスプレイ２２に種々の画面（後述するタッチ画面１００）を表示するための表示画像データをＶＲＡＭに生成し、生成した表示画像データをディスプレイ２２に出力する。
【００４４】
操作ボタン検出回路２４は、上述した複数の操作ボタン２６ａのうち、いずれの操作ボタン２６ａが選択されたかを検出するためのものであって、操作ボタン２６ａでのボタン操作を検出して、ＣＰＵ１２に出力する。
【００４５】
人検出センサ２８は、第１範囲Ａおよび当該第１範囲Ａの外側の範囲である第２範囲Ｂに存在する人を検出する。第１範囲Ａは、装置本体３６の前面中央部から第１距離Ｌ１の地点までの半円状の範囲である。第２範囲Ｂは、第１距離Ｌ１の地点から、第１距離Ｌ１より長い第２距離Ｌ２の地点までの間の円弧形状の範囲である。言い換えると、第２範囲Ｂは、第２距離Ｌ２の地点までの半円状の範囲から第１範囲Ａを除いた範囲である。
【００４６】
ここで、第１範囲Ａを決める第１距離Ｌ１、および第２範囲Ｂを決める第２距離Ｌ２は、後述する人検出センサ２８の計測範囲や、画像形成装置１０の周囲の障害物等の設置状況および利用状況などによって適宜設定されればよい。なお、人検出センサ２８の検出可能範囲は、少なくとも第２範囲Ｂまで検出可能であればよい。たとえば、人検出センサ２８の検出可能範囲は、第２範囲Ｂまでであってもよいし、第２範囲Ｂより広くてもよい。また、人検出センサ２８の検出可能範囲は、画像形成装置１０の周辺に障害物が無い場合など、画像形成装置１０の設置状況によっては、画像形成装置１０の横方向を含むようにしてもよい。
【００４７】
人検出センサ２８としては、たとえば、汎用のレーザレンジファインダ（ＬＲＦ）が用いられる。ＬＲＦは、レーザを照射し、物体に反射して戻ってくるまでの時間から当該物体との距離を計測するものである。たとえば、ＬＲＦは、トランスミッタから照射したレーザを回転ミラーで反射させて、扇状に一定角度（たとえば、０．２５度）ずつスキャンする。ただし、この人検出センサ２８の形態は一例であり、限定されるべきではない。たとえば、人検出センサ２８は、赤外線センサおよび超音波センサ等の他のセンサであってもよい。また、人検出センサ２８として、所定の撮像範囲を撮像するカメラで撮像した画像をＣＰＵ１２で解析して、当該撮像範囲に存在する人を検出するような検出システムを用いてもよい。
【００４８】
なお、図２に示す画像形成装置１０の電気的な構成は単なる一例であり、これに限定される必要はない。
【００４９】
図３は、人検出センサ２８の水平方向における検出可能範囲（計測範囲）を説明するための図解図であり、図４は、人検出センサ２８による人の検出方法を説明するための図解図である。
【００５０】
図３に示すように、人検出センサ２８の計測範囲は、画像形成装置１０の前方の半径Ｒ１（Ｒ１≒３〜５ｍ）の扇形状であり、扇の角度は、正面方向を中心として左側および右側のそれぞれに９０°である。つまり、人検出センサ２８のそれぞれは、画像形成装置１０の正面を中心とする１８０°の範囲について距離を検出することができる。また、図示は省略するが、人検出センサ２８の垂直方向における計測高さは、人の腰の高さ、たとえば、画像形成装置１０の設置面から高さ１ｍ程度の高さである。
【００５１】
ここで、人検出センサ２８の計測範囲に人がいる場合には、レーザが反射して戻ってくる。したがって、人検出センサ２８において、レーザが物体に反射して戻ってきた場合、その物体が人として検出される。なお、人検出センサ２８の計測範囲に固定的な障害物が存在する場合は、当該障害物を検出結果から予め除外するようにしてもよい。
【００５２】
また、上述したように、人検出センサ２８は、扇状に一定角度ずつスキャンするので、人検出センサ２８の計測範囲に人がいる場合は、当該人の幅の分だけ、レーザが略同じ時間で連続して反射して戻ってくる。したがって、図４に示すように、人検出センサ２８の計測範囲に人（ユーザＺ）がいる場合には、最初に反射して戻ってきたときの距離Ｌａ１と、最後に反射して戻ってきたときの距離Ｌａ２とが検出される。そこで、人検出センサ２８によって検出された距離Ｌａ１および距離Ｌａ２に対して三角関数などが用いられて、仮想的な三角形の辺ＬＡの長さが算出される。このとき、辺ＬＡの長さは、たとえば、距離Ｌａ１および距離Ｌａ２に加え、最初にレーザが反射して戻ってきた方向と最後にレーザが反射して戻ってきた方向との相対角度を用いて算出される。そして、辺ＬＡの中点が人の位置とみなされる。また、辺ＬＡの中点と、装置本体３６の前面中央部との距離が、ユーザＺと装置本体３６との距離ＬＺとみなされる。
【００５３】
仮に人検出センサ２８の計測範囲に複数の人がいる場合は、人検出センサ２８からそれぞれの人毎の距離Ｌｎ１、Ｌｎ２（ｎはユーザ毎に異なる）およびそれらの相対角度から、それぞれの人毎に上記の処理が行われ、各人の位置が検出される。
【００５４】
なお、算出された辺ＬＡが所定長さ以上であれば、複数の人が並んでいるとみなされる。つまり、辺ＬＡの長さが通常の人の幅よりも明らかに大きい場合には、複数の人として検出される。ここで、所定距離は、通常の人の幅程度に設定されればよく、たとえば、４０ｃｍ〜６０ｃｍ程度に設定される。
【００５５】
さらに、両方の人検出センサ２８の計測範囲が重なる範囲内に人（たとえば図４に示すユーザＹ）がいる場合には、一方の人検出センサ２８で、最初にレーザが反射して戻ってきたときの距離Ｌｂ１と、最後にレーザが反射して戻ってきたときの距離Ｌｂ２とが検出され、他方の人検出センサ２８で、最初にレーザが反射して戻ってきたときの距離Ｌｃ１と、最後にレーザが反射して戻ってきたときの距離Ｌｃ２とが検出される。この場合、ＣＰＵ１２は、距離Ｌｂ１、距離Ｌｂ１を検出したときの方向、距離Ｌｂ２および距離Ｌｂ２を検出したときの方向から辺ＬＢの長さおよび位置を算出するとともに、距離Ｌｃ１、距離Ｌｃ１を検出したときの方向、距離Ｌｃ２および距離Ｌｃ２を検出したときの方向から辺ＬＣの長さおよび位置を算出する。そして、辺ＬＢの中点および辺ＬＣの中点の位置が所定範囲内にある場合は、同一の人と判定する。
【００５６】
このように、第１実施形態の画像形成装置１０では、画像形成装置１０の周囲（前面側）に存在する人の位置を算出（検出）することができる。そして、この第１実施例では、画像形成装置１０の周囲において複数の人が検出された場合に、それら複数の人の位置に基づいて、画像形成装置１０で利用できる機能の設定を自動的に変更するようにしている。
【００５７】
簡単に説明すると、この第１実施例では、人検出センサ２８によって、装置本体３６から第１距離Ｌ１までの範囲である第１範囲Ａに存在する人が検出されたとき、一人だけ検出された場合には、印刷部数が１に設定され、二人検出された場合には、印刷部数を２に設定する。また、第１範囲Ａおよび第２範囲Ｂの両方で人が検出されたとき、表示部の表示面にのぞき見防止処理を行う。以下、具体的に説明する。
【００５８】
図５は、第１範囲Ａに二人の人が存在する場合を示す図解図である。
【００５９】
図５に示すように、第１範囲Ａに二人の人が存在する場合、この二人が仲間同士であり、同時に画像形成装置１０を使用していると推定される。このとき、上述したように、それぞれの人毎に上記の処理が行われ、第１範囲Ａに存在する二人の位置が検出される。以下、ＣＰＵ１２が人の位置を検出する場合について同様である。
【００６０】
この第１実施例では、第１範囲Ａに存在する人が複数である場合、画像形成装置１０で印刷される印刷部数が、第１範囲Ａで検出された人の数に設定される。つまり、第１範囲Ａに二人の人が存在する場合には、印刷部数が２に設定される。なお、第１範囲Ａに存在する人の数に応じて、設定される機能としては、印刷部数に限定されず、画像形成装置１０で利用できる機能であれば、他の機能の設定でもよい。
【００６１】
図６は、第１範囲Ａに二人の人が存在する場合に表示されるタッチ画面１００の一例を示す図解図である。
【００６２】
画像形成装置１０が通常モード（使用可能状態）であれば、タッチ画面１００には、画像形成装置１０で利用可能な機能を選択したり、数字を入力したりする各種アイコンが設けられた操作画面が表示される。ここで、第１範囲Ａにおいて二人検出された場合には、タッチ画面１００の中央上部には、印刷部数を示す部数の表示部分に“２”が表示される。このように、ＣＰＵ１２によって印刷部数が２に変更されたことを、第１範囲Ａに存在する人が認識できるようにしてある。
【００６３】
図７は、第１範囲Ａおよび第２範囲Ｂの両方に人が存在する場合を示す図解図である。
【００６４】
図７に示すように、この第１実施例では、第１範囲Ａおよび第２範囲Ｂのそれぞれに別れて人が存在する場合に、ディスプレイ２２にのぞき見防止処理がされる。ここで、のぞき見防止処理としては、特定の方法には限定されず、たとえば、ディスプレイ２２の画面表示を狭視野角で閲覧させる狭視野状態に切り替える方法を用いてもよい。また、のぞき見防止処理としては、ディスプレイ２２に表示される画像の上に当該画像とは別の図柄やアニメーションを重畳して表示させる画像処理を行うことで、周囲から表示中の画像を見えにくくする方法を用いることもできる。
【００６５】
また、第１範囲Ａおよび第２範囲Ｂの両方に人が存在する場合に、ディスプレイ２２に秘匿性の高い個人情報が表示されているか否かでのぞき見防止処理を行うか否かが判断されるようにしてもよい。たとえば、ユーザがファクシミリ機能を利用する際に電話番号を入力する場合、外部からオンラインで入力された画像データを印刷する際などにパスワードを入力する場合、またはスキャナ機能で読み取った画像をプレビューする場合など、個人情報が表示されている可能性があるときには、のぞき見防止処理が行われ、一方、単にコピーするだけの場合には、のぞき見防止処理をしなくてもよい。
【００６６】
さらに、第１範囲Ａおよび第２範囲Ｂの両方に人が存在する場合に、のぞき見防止処理に代えて、またはこれに加えて、第１範囲Ａにいる人に注意喚起がされてもよい。具体的には、ディスプレイ２２に“個人情報を見られないように注意してください”等のメッセージが表示されたり、音声または警告音などで注意喚起されたりしてもよい。
【００６７】
図８は、第２範囲Ｂにのみ人が存在する場合を示す図解図である。
【００６８】
図８に示すように、第１範囲Ａに人が存在しない場合には、画像形成装置１０が省電力モードである場合は、その状態が維持される。一方、画像形成装置１０が省電力モードでない場合、つまり、通常モードである場合には、第１範囲Ａに人が存在しない状態が所定時間続いたときに、通常モードから省電力モードに遷移するように画像形成装置１０の各部が制御される。
【００６９】
また、画像形成装置１０が省電力モードである場合に、第１範囲Ａに人が存在することが検出されたときは、省電力モードから通常モードに遷移するように画像形成装置１０の各部が制御される。
【００７０】
画像形成装置１０の上記のような動作は、ＣＰＵ１２がＲＡＭ１４に記憶された情報処理プログラムを実行することによって実現される。具体的な処理については、後でフロー図を用いて説明する。
【００７１】
図９は図２に示すＲＡＭのメモリマップ７０の一例を示す図解図である。
【００７２】
図９に示すように、ＲＡＭ１４は、プログラム記憶領域７２およびデータ記憶領域７４を含む。ＲＡＭ１４のプログラム記憶領域７２には、上述したように、情報処理プログラムが記憶される。情報処理プログラムは、表示プログラム７２ａ、操作検出プログラム７２ｂ、人検出プログラム７２ｃ、電力制御プログラム７２ｄ、および印刷プログラム７２ｅを含む。
【００７３】
表示プログラム７２ａは、図６に示したような操作画面などの各種の画面をディスプレイ２２に表示するためのプログラムである。ただし、表示プログラム７２ａは、ディスプレイ２２にのぞき見防止処理を行うためのプログラムでもある。
【００７４】
操作検出プログラム７２ｂは、タッチパネル２０から出力されたタッチ座標データを取得して、操作画面に含まれる各種アイコンなどを操作したことを検出するためのプログラムである。ただし、操作検出プログラム７２ｂは、操作ボタン２６ａからの操作入力を検出するためのプログラムでもある。
【００７５】
人検出プログラム７２ｃは、人検出センサ２８からそれぞれの人毎の距離Ｌｎ１およびＬｎ２を取得して、第１範囲Ａまたは第２範囲Ｂに存在する人を検出するためのプログラムである。
【００７６】
電力制御プログラム７２ｄは、人検出プログラム７２ｃから第１範囲Ａに人が存在するか否かの検出結果を取得して、通常モードおよび省電力モードを切り替えるためのプログラムである。具体的には、電力制御プログラム７２ｄは、画像形成装置１０が省電力モードである場合には、第１範囲Ａに人が存在することが検出されたときは、省電力モードから通常モードに遷移するように画像形成装置１０の各部を制御する。また、電力制御プログラム７２ｄは、第１範囲Ａに人が存在しないことが検出されたときは、画像形成装置１０が省電力モードである場合は、その状態を維持し、画像形成装置１０が通常モードである場合であって、第１範囲Ａに人が存在しない状態が所定時間続いたときに、省電力モードに遷移するように画像形成装置１０の各部を制御する。
【００７７】
印刷プログラム７２ｅは、外部から入力される画像データや、スキャナによって原稿から読み取った画像データなどに応じて多色または単色の画像を記録媒体（用紙）に形成するためのプログラムである。
【００７８】
なお、図示は省略するが、プログラム記憶領域７２には、各種の機能やアクションを選択および実行するためのプログラムや他のアプリケーションプログラムなども記憶される。
【００７９】
ＲＡＭ１４のデータ記憶領域７４には、タッチ座標データ７４ａ、操作画面データ７４ｂ、および画像データ７４ｃなどが記憶される。
【００８０】
タッチ座標データ７４ａは、操作検出プログラム７２ｂに従って検出（取得）されたタッチ座標データであり、時系列に従って記憶される。
【００８１】
操作画面データ７４ｂは、図６に示したような操作画面についての画像データである。ただし、この操作画面データ７４ｂには、印刷頁や試し印刷頁の画像データは含まれない。
【００８２】
画像データ７４ｃは、たとえば印刷頁などに対応する画像データであり、一部がＶＲＡＭとして使用されるＲＡＭ１４に展開される。ただし、画像データは、ＨＤＤなどから読み出されて、ＲＡＭ１４に展開（記憶）される。
【００８３】
なお、図示は省略するが、データ記憶領域７４には、キーボードや操作パネルからの操作データなど、情報処理プログラムの実行に必要な他のデータが記憶されたり、情報処理プログラムの実行に必要なタイマ（カウンタ）やレジスタが設けられたりする。
【００８４】
図１０は図１に示す画像形成装置１０の人検出処理の一例を示すフロー図である。この人検出処理は、人検出センサ２８によって、第１範囲Ａまたは第２範囲Ｂに存在する人が検出されたとき、画像形成装置１０で利用できる機能の設定を変更するための処理であり、ＣＰＵ１２で処理される。
【００８５】
図１０に示すように、ＣＰＵ１２は、人検出処理を開始すると、ステップＳ１で、第１範囲Ａまたは第２範囲Ｂに存在する人の数“Ｎ”を検出する。ここでは、人検出センサ２８からそれぞれの人毎の距離Ｌｎ１およびＬｎ２を取得して、それぞれの人毎に上記の処理を行い、装置本体３６と各人との距離を検出する。次に、ステップＳ３で、第１範囲Ａに存在する人の数を示すパラメータ“Ｖ”と、第２範囲Ｂに存在する人の数を示すパラメータ“Ｗ”とを初期化する。つまり、それぞれのパラメータをＶ＝０、Ｗ＝０とする。続くステップＳ５で、第１範囲Ａまたは第２範囲Ｂに存在する人の数だけ、後述するステップＳ７〜Ｓ１５までをループするためのパラメータ“Ｘ”を１に設定する。
【００８６】
次に、ステップＳ７で、人検出センサ２８によって検出された人のうち、いずれか一人と、装置本体３６との距離Ｌが第１距離Ｌ１以内か否かを判断する。つまり、当該人が第１範囲Ａの範囲内にいるか否かを判断する。ステップＳ７で“ＹＥＳ”であれば、つまり、当該人と装置本体３６との距離Ｌが第１距離Ｌ１以内であれば、当該人は第１範囲Ａ内にいると判断し、ステップＳ９で、第１範囲Ａに存在する人の数“Ｖ”に１を加える。一方、ステップＳ７で“ＮＯ”であれば、つまり、当該人と装置本体３６との距離Ｌが第１距離Ｌ１より大きければ、当該人は第２範囲Ｂ内にいると判断し、ステップＳ１１で、第２範囲Ｂに存在する人の数“Ｗ”に１を加える。そして、ステップＳ１３で、パラメータ“Ｘ”が、第１範囲Ａまたは第２範囲Ｂに存在する人の数“Ｎ”以上か否かを判断する。ステップＳ１３で“ＮＯ”であれば、つまり、パラメータ“Ｘ”が検出された人の数“Ｎ”よりも小さい場合は、ステップＳ１５でパラメータ“Ｘ”に１を加えてステップＳ７に戻り、他の人と装置本体３６との距離Ｌが第１距離Ｌ１以内か否かを判断する。一方、ステップＳ１３で“ＹＥＳ”であれば、つまり、パラメータ“Ｘ”が検出された人の数“Ｎ”以上の場合は、ステップＳ１７に進む。以上のステップＳ７〜Ｓ１５を、検出された人の数である“Ｎ”回ループして、第１範囲Ａまたは第２範囲Ｂに存在する全員について処理する。
【００８７】
続くステップＳ１７では、第１範囲Ａに存在する人の数“Ｖ”が１以上か否かを判断する。つまり、第１範囲Ａに存在する人がいるか否かを判断する。ステップＳ１７で“ＮＯ”であれば、つまり、第１範囲Ａに存在する人がいない場合は、ステップＳ１９で、第１範囲Ａに存在する人がいない状態で、所定時間が経過したか否かを判断する。ステップＳ１９で“ＮＯ”であれば、つまり、第１範囲Ａに存在する人がいない状態で、所定時間が経過していない場合は、そのままステップＳ１に戻る。一方、ステップＳ１９で“ＹＥＳ”であれば、つまり、第１範囲Ａに存在する人がいない状態で、所定時間が経過した場合は、ステップＳ２１で、省電力モードに遷移するように画像形成装置１０の各部を制御して、ステップＳ１に戻る。
【００８８】
一方、ステップＳ１７で“ＹＥＳ”であれば、つまり、第１範囲Ａに存在する人がいる場合は、ステップＳ２３で、画像形成装置１０が省電力モードか否かを判断する。ステップＳ２３で“ＮＯ”であれば、つまり、画像形成装置１０が通常モードであれば、そのままステップＳ２７（図１１参照）に進む。一方、ステップＳ２３で“ＹＥＳ”であれば、つまり、画像形成装置１０が省電力モードであれば、ステップＳ２５で、通常モードに遷移するように画像形成装置１０の各部を制御して、ステップＳ２７に進む。
【００８９】
図１１は図１に示す画像形成装置１０の人検出処理の一例を示すフロー図であって、図１０に後続するフロー図である。
【００９０】
図１１に示すように、ステップＳ２７では、第１範囲Ａに存在する人の数“Ｖ”が２以上か否かを判断する。つまり、第１範囲Ａに存在する人が複数いるか否かを判断する。ステップＳ２７で“ＮＯ”であれば、つまり、第１範囲Ａに存在する人が一人だけならば、そのままステップＳ３１に進む。一方、ステップＳ２７で“ＹＥＳ”であれば、つまり、第１範囲Ａに存在する人が複数いる場合は、ステップＳ２９で、印刷部数を“Ｖ”に設定し、ステップＳ３１に進む。たとえば、第１範囲Ａに存在する人が二人の場合は、印刷部数は２に設定される。
【００９１】
ステップＳ３１では、第２範囲Ｂに存在する人の数“Ｗ”が１以上か否かを判断する。つまり、第２範囲Ｂに存在する人がいるか否かを判断する。ステップＳ３１で“ＮＯ”であれば、つまり、第２範囲Ｂに存在する人がいない場合は、そのままステップＳ３５に進む。一方、ステップＳ３１で“ＹＥＳ”であれば、つまり、第２範囲Ｂに存在する人がいる場合は、ステップＳ３３で、ディスプレイ２２にのぞき見防止処理を行い、ステップＳ３３に進む。なお、ステップＳ３１では、第１範囲Ａに存在する人および第２範囲Ｂに存在する人の位置を検出し、第２範囲Ｂに存在する人が第１範囲Ａに存在する人の真後ろにいるような場合は、ディスプレイ２２にのぞき見防止処理を行わないようにしてもよい。
【００９２】
そして、ステップＳ３５では、人検出処理を終了するか否かを判断する。人検出処理を終了するか否かは、たとえば、画像形成装置１０の主電源がオフにされたかどうかで判断する。ステップＳ３５で“ＮＯ”であれば、つまり、人検出処理を継続する場合（画像形成装置１０の主電源がオンの状態）は、ステップＳ１に戻る。一方、ステップＳ３５で“ＹＥＳ”であれば、つまり、人検出処理を終了する場合（画像形成装置１０の主電源がオフにされた場合）は、人検出処理を終了する。
【００９３】
この第１実施例では、第１範囲Ａに存在する人が検出されたとき、人検出センサ２８で検出された人の数が一人である場合と、複数である場合とで、利用できる機能の設定が変更される。つまり、ユーザの操作によらず、状況に合わせて機能を設定することができる。このため、ユーザが機能の設定をする操作を簡略化して、画像形成装置１０の利便性を向上させることができる。
【００９４】
また、第１実施例では、第１範囲Ａに複数の人がいるとき、これら複数の人が、装置を一緒に利用する仲間とみなされ、印刷手段によって印刷される印刷部数が、人検出センサ２８で検出された人の数に設定される。このため、ユーザが印刷部数を設定する操作を省略することができ、ユーザの操作を簡略化して、画像形成装置１０の利便性を向上させることができる。
【００９５】
さらに、第１実施例では、第１範囲にいる人と第２範囲にいる人とは、関係のない他人とみなされ、第１範囲Ａおよび第２範囲Ｂの両方で人が検出されたとき、ディスプレイ２２にのぞき見防止処理がされる。このため、印刷内容などが他人に見られることを防止できる。これは、ディスプレイ２２に秘匿性の高い個人情報が表示される場合や、当該個人情報を他人に見られる可能性があることをユーザが気づいていない場合などに、より便利である。
【００９６】
加えて、第１実施例では、第１範囲にいる人と第２範囲にいる人とは、関係のない他人とみなされ、第１範囲Ａおよび第２範囲Ｂの両方で人が検出されたとき、第１範囲Ａにいる人に注意喚起がされる。このため、印刷内容などを他人に見られる可能性があることをユーザに知らせることができる。
［第２実施例］
第２実施例の画像形成装置１０は、第１範囲Ａに存在する複数の人が検出されたとき、それぞれの人の位置に応じて、機能の設定を変更するようにした以外は、第１実施例と同じであるため、第１実施例と異なる内容について説明し、重複した説明については省略することにする。
【００９７】
簡単に説明すると、第１範囲Ａに存在する二人の人が検出されたとき、装置本体３６の前面中央に人がいる場合と、装置本体３６の前面中央に人がいない場合とで、画像形成装置１０で利用できる機能の設定が変更される。
【００９８】
図１２は第１範囲Ａに二人の人が存在する場合であって、装置本体３６の前面中央に人がいる場合を示す図解図である。また、図１３は第１範囲Ａに二人の人が存在する場合であって、装置本体３６の前面中央に人がいない場合を示す図解図である。
【００９９】
図１２に示すように、第１範囲Ａに二人の人が存在する場合であって、一方の人が装置本体３６の前面中央にいる場合には、装置本体３６の前面中央にいる人のみが操作者とみなされる。つまり、他方の人は、関係のない他人とみなされる。この場合、第１範囲Ａに二人の人が存在する場合であっても、操作者が一人とみなされているので印刷部数は２に変更されない。つまり、印刷部数は１のままである。また、第１範囲Ａに非操作者がいるとみなされているので、ディスプレイ２２にのぞき見防止処理がされる。
【０１００】
ここで、装置本体３６の正面中央の範囲は、画像形成装置１０の設置状況や、利用状況などによって適宜設定されればよい。たとえば、装置本体３６の正面中央の幅３０ｃｍの範囲内に体の一部がある場合に、装置本体３６の正面中央にいると判断してもよい。
【０１０１】
一方、図１３に示すように、第１範囲Ａに二人の人が存在する場合であって、装置本体３６の正面中央に人がいない場合には、第１範囲Ａにいる両方の人が操作者とみなされる。この場合、印刷部数が２に変更される。また、この場合、非操作者がいないので、ディスプレイ２２にのぞき見防止処理がされない。
【０１０２】
なお、第１範囲Ａに二人の人が存在する場合について説明したが、これに限定される必要は無い。たとえば、第１範囲Ａに三人以上の人が存在する場合であってもよい。
【０１０３】
また、操作者または非操作者を判断する方法は、特定の方法には限定されず、たとえば、装置本体３６に対して人の位置が偏っているか否かで判断する方法を用いてもよい。具体的には、装置本体３６に対して人の位置が偏っていない場合、つまり、装置本体３６に対して人が偏りなく分散している場合は、全員を操作者とみなす。一方、装置本体３６に対して人の位置が偏っている場合は、装置本体３６の正面中央に最も近い位置にいる人を操作者とみなし、それ以外の人を関係のない他人とみなすようにしてもよい。
【０１０４】
以下、フロー図を用いて、第２実施例におけるＣＰＵ１２の人検出処理について説明するが、第１実施例で説明した人検出処理と同じ処理については同じ参照符号を付し、重複した内容については、説明を省略するまたは簡単に説明することにする。
【０１０５】
図１４は第２実施例における人検出処理の一例を示すフロー図である。
【０１０６】
図１４に示すように、第２実施例では、ステップＳ２７で、第１範囲Ａに存在する人が複数いるか否かを判断する。ステップＳ２７で“ＹＥＳ”であれば、ステップＳ５１で、第１範囲Ａに存在する各人の位置を検出する。ここでは、人検出センサ２８からそれぞれの人毎の距離Ｌｎ１、距離Ｌｎ１を検出したときの方向、距離Ｌｎ２および距離Ｌｎ２を検出したときの方向を取得して、各人の位置を算出する。そして、続くステップＳ５３で、装置本体３６の正面中央に人がいるか否かを判断する。
【０１０７】
ステップＳ５３で“ＮＯ”であれば、つまり、装置本体３６の正面中央に人がいない場合には、第１範囲Ａに存在する人全員を操作者と判断し、ステップＳ２９に進み、印刷部数を“Ｖ”に設定する。一方、ステップＳ５３で“ＹＥＳ”であれば、つまり、装置本体３６の正面中央に人がいる場合には、第１範囲Ａに非操作者がいると判断し、ステップＳ３３に進み、ディスプレイ２２にのぞき見防止処理を行う。なお、ステップＳ２５までの処理、およびステップＳ３３以降の処理は第１実施例と同じであるため、説明を省略する。
【０１０８】
この第２実施例では、第１範囲Ａに存在する人が複数検出されたとき、それぞれの人の位置に応じて、機能の設定が変更される。たとえば、第１範囲Ａにいる人の位置に応じて、各人が操作者または非操作者のいずれかにみなされ、利用できる機能の設定が変更される。このため、ユーザが機能の設定をする操作を簡略化して、画像形成装置の利便性を向上させることができる。
【０１０９】
また、第２実施例によれば、装置本体３６の正面中央に人がいる場合には、第１範囲Ａに非操作者がいるとみなされ、ディスプレイ２２にのぞき見防止処理がされる。つまり、装置本体３６の前面中央にいる人のみが操作者とみなされ、他方の人は、関係のない他人とみなされる。このため、印刷内容などを他人に見られることを防止できる。これは、ディスプレイ２２に秘匿性の高い個人情報が表示されるとき、当該個人情報を他人に見られる可能性があることをユーザが気づいていない場合などに、より便利である。
［第３実施例］
第３実施例は、画像形成装置１０を利用しようとする人のユーザ認証処理を行い、予め登録された人についてのみログインを許可することが可能であり、ユーザ認証処理でログインが成功した後に、人検出センサ２８によって第１範囲Ａに存在する人が検出されなくなった場合にログアウトする以外は、第１実施例および第２実施例の画像形成装置１０と同じであるため、異なる内容について説明し、重複した説明については省略することにする。
【０１１０】
第３実施例では、ＲＡＭ１４のプログラム記憶領域７２には、ユーザ認証処理を行うための認証処理プログラムが記憶される。そして、ＣＰＵ１２が認証処理プログラムを実行することによってユーザ認証処理を行う。また、データ記憶領域７４にはどのユーザがログインしているかを示す認証データが記憶される。
【０１１１】
認証処理プログラムは、画像形成装置１０に対してログインおよびログアウトを行うユーザを認証するためのユーザ認証処理を実現するためのプログラムである。ログインは、画像形成装置１０の利用開始時にユーザの身元や妥当性を識別して種々のリソースへのアクセスに必要な資格情報を取得するための操作を行うものである。このログインを行うために、通常、ユーザを識別する識別情報であるユーザＩＤと、パスワードとが入力される。ユーザＩＤおよびパスワードは、タッチパネル２０へのタッチ入力や、操作ボタン２６ａを操作することによって入力される。パスワードは、認証のための一手段として用いられるものであるが、これに限定される必要は無い。たとえば、認証のための手段として、ＩＤカードの読取による方法など、他の認証方法によって代替することができる。また、認証処理プログラムは、入力されたユーザＩＤとパスワードを、予め登録されているユーザＩＤ及びパスワードと照合することによって、ログインの可否を判断するためのプログラムでもある。
【０１１２】
ここで、種々のリソースの例としては、たとえば、画像形成装置１０に接続されたサーバなどに登録された画像データや、ＵＳＢ（Universal Serial Bus）メモリ等の可搬記録媒体に記憶されている画像データなどである。
【０１１３】
したがって、ユーザは、種々のリソースへのアクセスを使用とするときは、ユーザ認証処理を行ってログインして、画像形成装置１０を使用して所望の操作を行う。このとき、ログインしたユーザは、秘匿性の高い個人情報や機密情報にアクセスすることか可能になる場合がある。
【０１１４】
図１５は第１範囲Ａから人がいなくなった場合を示す図解図である。
【０１１５】
図１５に示すように、ユーザ認証処理でログインが成功した後に、第１範囲Ａから人がいなくなった場合には、ログインしていた操作者がいなくなったとみなされて、自動的にログアウトされる。なお、第１範囲Ａから人がいなくなってから、所定時間（たとえば数秒）経過後にログアウトするようにしてもよい。また、第１範囲Ａに人が複数存在するときは、第１範囲Ａにいる人の数が減った場合にログアウトするようにしてもよい。
【０１１６】
以下、フロー図を用いて、第３実施例におけるＣＰＵ１２の人検出処理について説明するが、第１実施例で説明した人検出処理と同じ処理については同じ参照符号を付し、重複した内容については、説明を省略するまたは簡単に説明することにする。
【０１１７】
図１６は第３実施例における人検出処理の一例を示すフロー図である。
【０１１８】
図１６に示すように、第３実施例では、ＣＰＵ１２は、ステップＳ１７で“ＮＯ”であれば、つまり、第１範囲Ａに存在する人がいない場合は、ステップＳ７１で、いずれかのユーザがログインしているか否かを判断する。ここでは、認証データを取得して、ログインしているユーザがいるか否かを判断する。ステップＳ７１で“ＮＯ”であれば、つまり、ログインしているユーザがいない場合は、ステップＳ１９に進む。一方、ステップＳ７１で“ＹＥＳ”であれば、つまり、ログインしているユーザがいる場合は、ステップＳ７３で、ログアウト処理を実行し、ステップＳ１９に進む。なお、ステップＳ１７までの処理、およびステップＳ１９以降の処理は第１実施例と同じであるため、説明を省略する。
【０１１９】
この第３実施例によれば、ＣＰＵ１２が、ユーザ認証処理でログインが成功した後に、人検出センサ２８によって第１範囲Ａに存在する人が検出されなくなった場合にログアウトするので、ユーザがログアウトを忘れた場合でも、ログイン状態で閲覧できる秘匿性の高い個人情報や機密情報などを他人に見られることを防止できる。
【０１２０】
さらに、第１実施例〜第３実施例に示した態様は、いずれか二つ以上を同時に採用することも可能である。
【０１２１】
さらにまた、上述の実施例で挙げた具体的な数値、画面構成等は一例であり、実際の製品に応じて適宜変更することが可能である。
【０１２２】
また、上述の実施例で示したフロー図の各ステップは、同じ結果が得られるのであれば、処理される順番は適宜変更することが可能である。
【符号の説明】
【０１２３】
１０  …画像形成装置
１２  …ＣＰＵ
１４  …ＲＡＭ
２８  …人検出センサ
３６  …装置本体
【図１】
2016132174.tif 000003
【図２】
2016132174.tif 000004
【図３】
2016132174.tif 000005
【図４】
2016132174.tif 000006
【図５】
2016132174.tif 000007
【図６】
2016132174.tif 000008
【図７】
2016132174.tif 000009
【図８】
2016132174.tif 000010
【図９】
2016132174.tif 000011
【図１０】
2016132174.tif 000012
【図１１】
2016132174.tif 000013
【図１２】
2016132174.tif 000014
【図１３】
2016132174.tif 000015
【図１４】
2016132174.tif 000016
【図１５】
2016132174.tif 000017
【図１６】
2016132174.tif 000018